(57)【要約】      （修正有）【課題】ソーラーパネル装置における架台を有効利用できるようにした補修方法を提供する。【解決手段】フレーム１１と該フレーム１１に固定された脚１２とからなり、設置面に設置される架台１０と、該架台１０に搭載された第１のソーラパネル２０とからなるソーラーパソル装置において、上記第１のソーラーパネル２０上に第２のソーラーパネル３０を搭載して固定具３１で上記第１のソーラーパネル２０又は架台１０に固定するか又は接着剤で上記第１のソーラーパネル２０に接着し、第２のソーラーパネル３０から発電電力を取り出すようにしたことを特徴とする。【選択図】図１
2020127323.tif 000002
【特許請求の範囲】
【請求項１】
フレーム（１１）と該フレーム（１１）に固定された脚（１２）とからなり、設置面に設置される架台（１０）と、該架台（１０）に搭載された第１のソーラパネル（２０）とからなるソーラーパソル装置において、
上記第１のソーラーパネル（２０）上に第２のソーラーパネル（３０）を搭載して固定具（３１）で上記第１のソーラーパネル（２０）又は架台（１０）に固定するか又は接着剤で上記第１のソーラーパネル（２０）に接着し、第２のソーラーパネル（３０）から発電電力を取り出すようにしたことを特徴とするソーラーパネル装置の補修方法。
【請求項２】
フレーム（１１）と該フレーム（１１）に固定された脚（１２）とからなり、設置面に設置される架台（１０）と、
該架台（１０）に搭載された第１のソーラパネル（２０）と、
該第１のソーラーパネル（２０）上に搭載されて固定具（３１）で上記第１のソーラーパネル（２０）又は架台（１０）に固定されるか又は接着剤で上記第１のソーラーパネル（２０）に接着され、発電電力が取り出される第２のソーラーパネル（３０）と、
を備えたことを特徴とするソーラーパネル装置。
【請求項３】
上記第２のソーラーパネル（３０）が透明ガラス状、透明シート状又は透明フィルム状である請求項２記載のソーラーパネル装置。
【発明の詳細な説明】
【技術分野】
【０００１】
本発明はソーラパソル装置の補修方法に関し、特に架台を有効利用できるようにしたソーラーパネル装置の補修方法に関する。
【背景技術】
【０００２】
最近、環境問題に対する関心が高まり、クリーンな循環型エネルギーが注目される傾向がある。例えば、太陽光から電気エネルギーを作り出すソーラーパルネル装置が企業か一般家庭かを問わず、多数設置されている。
【０００３】
このソーラーパネル装置は架台上にソーラーパネルモジュールを搭載して構成されているが、設置から長い時間が経過し、過酷な環境に曝されると、ソーラーパネルモジュールの性能が劣化したり故障することがあり、新しいソーラーパネル装置と交換し、劣化し故障したソーラーパネル装置を廃棄しなければならない。
【０００４】
廃棄されるソーラーパネル装置については可能な限り資源を再利用することが望ましく、例えばソーラーパネルモジュールのガラス及び素子を破砕し、加熱して充填材を軟化させ、ガラスや素子を分離回収することが提案されている(特許文献1、特許文献2)。
【０００５】
また、ソーラーパネルのセルアレイに故障が発生したときに、交換用セルアレイを故障したセルアレイの上に接着し、隣接するセルアレイと電気的に接続するようにした修理方法が提案されている（特許文献３）。
【先行技術文献】
【特許文献】
【０００６】
【特許文献１】特開２０１１−１７３０９９号公報
【特許文献２】特開２０１９−６８３９号公報
【特許文献３】特開２００３−１５８２８６号公報
【発明の概要】
【発明が解決しようとする課題】
【０００７】
ところで、ソーラーパネル装置を廃棄する場合、架台については殆ど損傷を受けていないにもかかわらず、廃棄しなければならない。
【０００８】
本発明は、かかる点に鑑み、架台を有効利用できるようにしたソーラーパネル装置の補修方法を提供することを課題とする。
【課題を解決するための手段】
【０００９】
そこで、本発明に係るソーラーパネル装置の補修方法は、フレームと該フレームに固定された脚とからなり、設置面に設置される架台と、該架台に搭載された第１のソーラパネルとからなるソーラーパソル装置において、上記第１のソーラーパネル上に第２のソーラーパネルを搭載して固定具で上記第１のソーラーパネル又は架台に固定するか又は接着剤で上記第１のソーラーパネルに接着し、第２のソーラーパネルから発電電力を取り出すようにしたことを特徴とする。
【００１０】
本発明の特徴の１つは架台上に第１のソーラーパネルを搭載し固定した状態において、第１のソーラーパネル上に第２のソーラーパネルを積層して固定又は接着するようにした点にある。
これにより、下側の第１のソーラーパネルが長期の使用によりあるいは悪環境に曝されることによって劣化し故障したときには第２のソーラーパネルの使用を発電できるので、架台を有効利用することができる。
【００１１】
第２のソーラーパネルは通常のソーラーパネル、つまり基板上にソーラーパネルモジュールを搭載しその上に保護ガラスで覆った構造のソーラーパネルでもよく、最近開発の進展しているシート状又はフィルム状のソーラーパネルであってもよく、さらに透明シート状、透明フィルム状又は透明ガラス状のソーラーパネルであってもよい。
【００１２】
特に、透明シート状、透明フィルム状又は透明ガラス状のソーラーパネルを使用する場合、第１のソーラーパネルが劣化又は故障する前から、例えば製造時に第１のソーラーパネル上に搭載し接着しておくこともでき、これによってソーラパネルの発電電力を増加させることができる。
【００１３】
第１のソーラーパネルはソーラーパネルが劣化し故障したときには出力を遮断するようにしてもよく、そのまま出力を継続させるようにしてもよい。
出力を継続させる場合、第１、第２のソーラーパネルの発電電圧が相違して第２のソーラーパネルからの電流が第１のソーラーパネルに逆流するおそれがある。そこで、第２のソーラーパネルから第１のソーラーパネルに電流が逆流しないように制限素子を設けるのがよい。
【００１４】
また、上述の第１、第２のソーラーパネルを積層したソーラーパネル装置も新規である。すなわち、本発明によれば、フレームと該フレームに固定された脚とからなり、設置面に設置される架台と、該架台に搭載された第１のソーラパネルと、該第１のソーラーパネル上に搭載されて固定具で上記第１のソーラーパネル又は架台に固定されるか又は接着剤で上記第１のソーラーパネルに接着され、発電電力が取り出される第２のソーラーパネルと、を備えたことを特徴とするソーラーパネル装置を提供することができる。
【図面の簡単な説明】
【００１５】
【図１】本発明に係るソーラーパネル装置の補修方法の好ましい実施形態を模式的に示す図である。
【図２】第２の実施形態を模式的に示す図である。
【発明を実施するための形態】
【００１６】
以下、本発明を添付図面に示す具体例に基づいて説明する。図１は本発明に係るソーラーパネル装置の好ましい実施形態を示す。図において、架台１０は矩形状のフレーム１１とフレーム１１に固定されフレーム１１を傾斜した状態に保持する脚１２とから構成され、脚１２はビルの屋上などの設置面に設置されている。
【００１７】
架台１０のフレーム１１上には第１のソーラーパネル２０が搭載されてボルト・ナットによって固定され、第１のソーラーパネル２０上には第２のソーラーパネル３０が搭載されて固定具３１によってフレーム１１に固定されている。
【００１８】
この第１のソーラーパネル２０は出力線２２によって発電電力が取り出されるが、出力線２２には逆流防止用の制限素子２３が接続されている。
【００１９】
ソーラーパネル装置１０を設置してから長い時間が経過し、あるいは劣悪な環境に設置されていると、ソーラーパネル２０が劣化したり、故障した場合、  第１のソーラーパネル２０の上に第２のソーラーパネル３０を搭載する。第２のソーラーパネル３０には固定用のフランジ３０Ａが形成されているので、フランジ３０Ａと架台１０のフレーム１１との間に固定具３１を引っ掛けて締付けると、第２のソーラーパネル３０をフレーム１１に固定することができ、第２のソーラーパネル３０の出力線を接続すると、第２のソーラーパネル３０の発電電力を取り出すことができる。
【００２０】
このとき、第１のソーラーパネル２０の出力線２１には制限素子２２を接続すると、第２のソーラーパネル３０の発電電流が第１のソーラーパネル２０に逆流することがなく、第１のソーラーパネル２０の寿命を保証できる。
【００２１】
図２は第２の実施形態を示し、図において図１と同一符号は同一又は相当部分を示す。本例では第２のソーラーパネル３０には透明シート状のソーラーパネル（透明ガラス状又は透明フィルム状であってもよい）が用いられ、第２のソーラーパネル３０は第１のソーラーパネル２０に接着されている。
【００２２】
第２のソーラーパネル３０が透明シート状ソーラーパネルの場合、第１のソーラーパネル２０が劣化又は故障する前から、例えば製造時に第１のソーラーパネル２０上に搭載し接着しておくこともできる。
【符号の説明】
【００２３】
１０      架台
１１      フレーム
１２      脚
２０      第１のソーラーパネル
３０      第２のソーラーパネル
３２      固定具
【図１】
2020127323.tif 000003
【図２】
2020127323.tif 000004